(57)【要約】【課題】広色域ディスプレイによってそれより狭い色再現範囲の規格（ｓＲＧＢ規格等）に準拠した映像信号に基づく映像表示を行う場合に，彩度の高い鮮やかな赤色を表示可能なディスプレイの長所を活かしつつ，中間的な彩度の赤色での色相ズレの問題を解消できること。【解決手段】映像処理回路２が，拡張色再現範囲における最低の彩度の無彩色から最高の彩度の赤色に至る等色相の色範囲の中央部分である赤色相基準範囲を一部に含み，前記拡張色再現範囲における最高の彩度の赤色を含まない所定の補正対象色範囲の色を，その色相が前記拡張色再現範囲における黄色寄りの色相へ変化するように補正し，その際，前記赤色相基準範囲の色相がｓＲＧＢ規格の色再現範囲における赤色の色相へ変化するように，さらに，黄色寄りの色相への色相の変化量が前記拡張色再現範囲における前記赤色相基準範囲に対する距離が近い色よりも遠い色の方が小さくなるように補正する。【選択図】図１
2010056997.tif 000002
【特許請求の範囲】
【請求項１】
ｓＲＧＢ規格の色再現範囲よりも広い色再現範囲である拡張色再現範囲で映像を表示する広色域ディスプレイを備え，前記拡張色再現範囲よりも狭い色再現範囲の規格に準拠した入力映像信号を補正して前記広色域ディスプレイに入力させる映像表示装置であって，
前記拡張色再現範囲における最低の彩度の無彩色から最高の彩度の赤色に至る等色相の色範囲の中央の１点の彩度の部分又は中央の所定範囲の彩度の部分である赤色相基準範囲を一部に含み，前記拡張色再現範囲における最高の彩度の赤色を含まない所定の補正対象色範囲，の色を表す前記入力映像信号の信号値を，その色相が前記拡張色再現範囲における黄色寄りの色相へ変化するように補正し，その際に，前記赤色相基準範囲の色相が前記入力映像信号の準拠する規格の色再現範囲における最低の彩度の無彩色から最高の彩度の赤色に至る色相へ変化するように補正するとともに，前記黄色寄りの色相への色相の変化量が前記拡張色再現範囲における前記赤色相基準範囲に対する距離が近い色よりも遠い色の方が小さくなるように補正する信号補正手段を具備してなることを特徴とする映像表示装置。
【請求項２】
前記広色域ディスプレイが，ＬＥＤを光源とするバックライトにより照明される液晶パネルである請求項１に記載の映像表示装置。
【請求項３】
前記赤色相基準範囲が，前記拡張色再現範囲における最低の彩度の無彩色から最高の彩度の赤色に至る等色相の色範囲のうちの彩度が中央の略５分の１を占める一部の範囲である請求項１又は２のいずれかに記載の映像表示装置。
【発明の詳細な説明】
【技術分野】
【０００１】
本発明は，ｓＲＧＢ規格の色再現範囲よりも広い色再現範囲を有する広色域ディスプレイを備えた映像表示装置に関するものである。
【背景技術】
【０００２】
従来の一般的な映像表示装置は，ＩＥＣ（国際電気標準会議）の国際標準規格であるｓＲＧＢ（standard RGB）規格の色再現範囲（以下，標準色再現範囲という）の色で映像を表示可能なディスプレイ（以下，標準色域ディスプレイという）を備えている。これに対し，昨今の映像表示装置，特に，液晶表示装置は，高画質化が進み，従来よりも色の表現可能範囲が拡大する傾向にある。
例えば，発光色の色純度が高いＬＥＤを光源とするバックライト，及びそのバックライトにより照明される液晶パネル（ディスプレイの一例）を備えた液晶表示装置は，ｓＲＧＢ規格に準拠した映像信号が入力された場合，その映像信号を直接用いて映像表示を行うと，ｓＲＧＢ規格の色再現範囲よりも広い色再現範囲（以下，拡張色再現範囲という）の色で映像が表示される。そのようなディスプレイ（以下，広色域ディスプレイという）は，前記標準色域ディスプレイよりも鮮やかな（彩度の高い）色を表示可能である。
【０００３】
図２は，ｓＲＧＢ規格に準拠した映像信号に基づく映像表示を行う場合について，前記標準色域ディスプレイにより表示可能な色再現範囲ＣＳ１と前記広色域ディスプレイにより表示可能な色再現範囲ＣＳ２とをｕ’ｖ’色度図上に表した図である。
図２において，前記標準色域ディスプレイの色再現範囲ＣＳ１における３つの頂点Ｐ1r，Ｐ1g，Ｐ1bの位置は，それぞれ色再現範囲ＣＳ１において最高の彩度の赤色，緑色，青色を表す位置である。同様に，前記広色域ディスプレイの色再現範囲ＣＳ２における３つの頂点Ｐ2r，Ｐ2g，Ｐ2bの位置は，それぞれ色再現範囲ＣＳ２において最高の彩度の赤色，緑色，青色を表す位置である。
図２に示されるように，前記広色域ディスプレイは，その色再現範囲ＣＳ２が前記標準色域ディスプレイの色再現範囲ＣＳ１よりも広く，より彩度の高い色を表示可能である。
【０００４】
また，図２には，前記標準色再現範囲ＣＳ１における最低の彩度の無彩色（点Ｐwの位置）から最高の彩度の赤色（点Ｐ1rの位置）に至る等色相の色範囲を表す直線Ｌ1r（赤色の等色相ライン）が太い破線で示されている。同様に，図２には，前記拡張色再現範囲ＣＳ２における最低の彩度の無彩色（点Ｐwの位置）から最高の彩度の赤色（点Ｐ2rの位置）に至る等色相の色範囲を表す直線Ｌ2r（赤色の等色相ライン）が太い破線で示されている。
さらに，図２には，Ｒ，Ｇ，Ｂ（赤，緑，青）及びＣ，Ｍ，Ｙ（シアン，マゼンタ，イエロー）の各色について，無彩色から各色（有彩色）に渡って視覚的に同じ色相であると感じる等色相の色範囲が，実線Ｌ0r，Ｌ0g，Ｌ0b，Ｌ0c，Ｌ0m，Ｌ0yで示されている。即ち，実線Ｌ0r，Ｌ0g，Ｌ0b，Ｌ0c，Ｌ0m，Ｌ0yは，それぞれ赤色，緑色，青色，シアン，マゼンタ，イエローの各色の等色相ラインを表す。図２に示される各色の視覚上の等色相ラインＬ0r，Ｌ0g，Ｌ0b，Ｌ0c，Ｌ0m，Ｌ0yについては，非特許文献１に示されている。
【０００５】
ここで，赤色の色相について着目する。
図３は，前記標準色再現範囲ＣＳ１及び前記拡張色再現範囲ＣＳ２それぞれにおける赤色の等色相ラインＬ1r，Ｌ2rと，赤色の視覚上の等色相ラインＬ0rとを拡大して表した図である。
図３に示されるように，赤色の視覚上の等色相ラインＬ0rは，黄色の色相の側が凸となる方向にやや湾曲した形状となっている。
そして，前記標準色再現範囲ＣＳ１における赤色の等色相ラインＬ1rは，直線状ではあるものの，赤色の視覚上の等色相ラインＬ0rとよく近似している。そのため，前記標準色域ディスプレイにより，ｓＲＧＢ規格に準拠した映像信号に基づく映像表示が行われると，赤色系の映像は，等色相の信号値については，無彩色（点Ｐwの位置）から最高の彩度の色（点Ｐ1rの位置）までほぼ同一の色相の色で再現された映像となる。但し，前記標準色域ディスプレイは，その色再現範囲ＣＳ１が狭いため，彩度の高い赤色を表示する場合の鮮やかさが不足する。また，ｓＲＧＢ規格以外の規格（例えば，ｓＹＣＣ規格）に準拠した映像信号についても，その映像信号をその規格と同じ色再現範囲を有するディスプレイに入力させて映像表示を行えば，赤色系の等色相の色は本来の色で表示される。
また，前記標準色再現範囲ＣＳ１における赤色の等色相ラインＬ1rは，最高の彩度の赤色（位置Ｐ2r）が，彩度の高い視覚上の赤色に良く近似する。
そのため，前記広色域ディスプレイにより，ｓＲＧＢ規格に準拠した映像信号に基づく映像表示が行われると，非常に彩度の高い赤色については，映像信号が表す本来の色が非常に鮮やかに再現された映像となる。
【特許文献１】特開平８−１３０６５５号公報
【非特許文献１】G. Wyszecki, and W. S. Stiles，"Color Science: Concepts and Methods, Quantitative Data and Formulae"，2nd ed.，New York，John Wiley & Sons Inc.，2000，p.447
【発明の開示】
【発明が解決しようとする課題】
【０００６】
しかしながら，前記標準色再現範囲ＣＳ１における赤色の等色相ラインＬ1rは，直線状であるため，中間的な彩度の部分については，赤色の視覚上の等色相ラインＬ0rに対する差が大きい。そのため，前記広色域ディスプレイにより，ｓＲＧＢ規格に準拠した映像信号に基づく映像表示が行われると，中間的な彩度の赤色については，最大の彩度の赤色に対して視覚的な色相が大きくずれてしまい，マゼンタがかった色の映像が表示されるという問題（以下，色相ズレの問題という）があった。
また，特許文献１に示されるように，その前記広色域ディスプレイの表示色が，前記拡張色再現範囲ＣＳ２の色範囲から前記標準色再現範囲ＣＳ１の色範囲となるように，映像信号に対して色域圧縮処理を施すことも考えられる。
しかしながら，映像信号に色域圧縮処理を施すことは，彩度の高い鮮やかな赤色を表示可能な前記広色域ディスプレイの長所を活かせないという問題点があった。以上の問題点は，入力映像信号の準拠する規格の色再現範囲が，前記広色域ディスプレイの色再現範囲（前記拡張色再現範囲ＣＳ２）よりも狭い場合に同様に生じる。
従って，本発明は上記事情に鑑みてなされたものであり，その目的とするところは，前記広色域ディスプレイによってそれより狭い色再現範囲の規格に準拠した映像信号に基づく映像表示を行う場合に，彩度の高い鮮やかな赤色を表示可能な前記広色域ディスプレイの長所を活かしつつ，中間的な彩度の赤色を表示する際の前記色相ズレの問題を解消できる映像表示装置を提供することにある。
【課題を解決するための手段】
【０００７】
上記目的を達成するために，本発明に係る映像表示装置は，ｓＲＧＢ規格の色再現範囲よりも広い色再現範囲である拡張色再現範囲を有する広色域ディスプレイを備え，前記拡張色再現範囲よりも狭い色再現範囲の規格（例えば，ｓＲＧＢ規格やｓＹＣＣ規格等）に準拠した入力映像信号を補正して前記広色域ディスプレイに入力させるものであり，次の（１）に示される構成要素を備えている。
（１）前記拡張色再現範囲における最低の彩度の無彩色から最高の彩度の赤色に至る等色相の色範囲の中央の１点の彩度の部分又は中央の所定範囲の彩度の部分である赤色相基準範囲を一部に含み，前記拡張色再現範囲における最高の彩度の赤色を含まない所定の補正対象色範囲，の色を表す前記入力映像信号の信号値を，その色相が前記拡張色再現範囲における黄色寄りの色相へ変化するように補正し，その際に，前記赤色相基準範囲の色相が前記入力映像信号の準拠する規格の色再現範囲における最低の彩度の無彩色から最高の彩度の赤色に至る色相へ変化するように補正するとともに，前記黄色寄りの色相への色相の変化量が前記拡張色再現範囲における前記赤色相基準範囲に対する距離が近い色よりも遠い色の方が小さくなるように補正する信号補正手段。
また，前記広色域ディスプレイの典型例は，ＬＥＤを光源とするバックライトにより照明される液晶パネルである。
また，前記赤色相基準範囲は，例えば，前記拡張色再現範囲における最低の彩度の無彩色から最高の彩度の赤色に至る等色相の色範囲のうちの彩度が中央の略５分の１を占める一部の範囲である。
【０００８】
前記赤色相基準範囲は，前記拡張色再現範囲において中間的な彩度の赤色を表す範囲である。
そして，前記信号補正手段は，前記入力映像信号における前記赤色相基準範囲の信号値を，前記入力映像信号の準拠する規格の色再現範囲における中間的な彩度の赤色を表す信号値と一致するように，その色相が黄色よりの色相へ変化するよう補正する。これにより，前記広色域ディスプレイによる中間的な彩度の赤色の表示色が，前記標準色域ディスプレイによる中間的な彩度の赤色の表示色，即ち，赤色の視覚上の等色相ライン（図２，図３におけるＬ0r）上の色と近似した色となり，前記色相ズレの問題が解消する。
一方，前記信号補正手段は，前記入力映像信号について，前記拡張色再現範囲における最高の彩度の赤色の信号値を補正せず，また，前記黄色寄りの色相への色相の変化量を，前記拡張色再現範囲における前記赤色相基準範囲に対する距離が近い色よりも遠い色の方が小さくなるように色相補正を行う。そのため，信号値の補正前後において，色の連続性（グラデーション）が確保されるとともに，彩度の高い鮮やかな赤色は，色域圧縮が行われずにそのまま表示される。その結果，彩度の高い鮮やかな赤色を表示可能な前記広色域ディスプレイの長所を活かすことができる。
【発明の効果】
【０００９】
本発明によれば，広色域ディスプレイによってその色再現範囲よりも狭い色再現範囲の規格（ｓＲＧＢ規格等）に準拠した映像信号に基づく映像表示を行う場合に，彩度の高い鮮やかな赤色を表示可能な前記広色域ディスプレイの長所を活かしつつ，中間的な彩度の赤色を表示する際の前記色相ズレの問題を解消できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置の一例である液晶表示装置Ｘの概略構成を表すブロック図，図２はｓＲＧＢ規格に準拠した映像信号に基づく映像表示を行う場合における標準色域ディスプレイにより表示可能な色再現範囲と広色域ディスプレイにより表示可能な色再現範囲とをｕ’ｖ’色度図上に表した図，図３は標準色再現範囲及び拡張色再現範囲それぞれにおける赤色の等色相ラインと及び赤色の視覚上の等色相ラインを拡大して表した図，図４は液晶表示装置Ｘにおける色相補正の対象となる赤色相基準範囲の第１例をｕ’ｖ’座標系において表した図，図５は液晶表示装置Ｘにおける色相補正による色相の変化の第１例をｕ’ｖ’座標系において表した図，図６は液晶表示装置Ｘにおける色相補正の対象となる補正対象色範囲の第１例をＹｃｂｃｒ座標系におけるＹ軸に直交する方向から見た図，図７は液晶表示装置Ｘにおける色相補正の対象となる赤色相基準範囲の第２例をｕ’ｖ’座標系において表した図，図８は液晶表示装置Ｘにおける色相補正による色相の変化の第２例をｕ’ｖ’座標系において表した図，図９は液晶表示装置Ｘにおける色相補正の対象となる補正対象色範囲の第２例をＹｃｂｃｒ座標系におけるＹ軸に直交する方向から見た図である。
【００１１】
まず，図１に示されるブロック図を参照しつつ，本発明の実施形態に係る映像表示装置の一例である液晶表示装置Ｘの構成について説明する。
図１に示されるように，液晶表示装置Ｘは，映像信号入力部１，映像処理回路２，液晶駆動回路３，液晶パネル４，ＬＥＤ給電回路５，ＬＥＤバックライト６，調光回路７，メイン制御回路８等を備えている。
前記ＬＥＤバックライト６は，ＬＥＤを光源として前記液晶パネル４を照明するバックライトである。前記ＬＥＤは，映像を表示する前記液晶パネル４の背面側に配列され，それぞれ白色ＬＥＤ又はＲＧＢ３色のＬＥＤ（３個のＬＥＤ）からなる光源である。
そして，このＬＥＤバックライト６により照明される前記液晶パネル４は，ｓＲＧＢ規格に準拠した前記入力映像信号が前記映像信号入力部１及び前記映像処理回路２を通じて前記液晶駆動回路３に入力された場合に，ｓＲＧＢ規格の色再現範囲（図２における前記標準色再現範囲ＣＳ１）よりも広い前記拡張色再現範囲ＣＳ２（図２参照）における色で映像を表示する広色域ディスプレイの一例である。なお，ＬＥＤ以外を光源とするバックライトが採用されることも考えられる。
【００１２】
前記映像信号入力部１は，映像信号を入力するインターフェースである。以下，この映像信号入力部１を通じて入力される映像信号を入力映像信号と称する。
前記映像処理回路２は，前記入力映像信号に基づく各種の信号処理を実行する回路である。
例えば，前記映像処理回路２は，前記メイン制御回路８からの指令に応じて，前記入力映像信号の信号値の補正を行う。
より具体的には，前記映像処理回路２は，前記メイン制御回路８から後述する"標準モード"で動作する旨の指令を受けた場合に，前記入力映像信号に対する色域圧縮処理を行う。この色域圧縮処理は，例えば特許文献１に示されるように，前記液晶パネル４（広色域ディスプレイ）の表示色が，前記拡張色再現範囲ＣＳ２の色範囲から前記標準色再現範囲ＣＳ１の色範囲となるように，前記入力映像信号を補正する処理である。これにより，前記液晶パネル４において，ｓＲＧＢ規格に準拠した前記入力映像信号に基づく映像が，従来の標準色域ディスプレイでの表示色とほぼ同等の色で表示される。なお，前記色域圧縮処理の具体的内容については，ここでは記載を省略する。
また，前記映像処理回路２は，前記メイン制御回路８から後述する"鮮やかモード"で動作する旨の指令を受けた場合に，前記入力映像信号の信号値を補正することにより，前記入力映像信号が表す色の色相を補正する色相補正処理を実行する。前記色相補正処理の詳細については後述する。
【００１３】
また，前記映像処理回路２は，１フレーム分の前記入力映像信号又はその入力映像信号に前記色相補正処理を施した後の信号である１フレーム分の表示対象映像信号に基づいて，動画における１コマの画像を構成する各画素の３原色（Ｒ，Ｇ，Ｂ）それぞれの映像輝度（画素階調）を表すフレーム信号を順次生成し，そのフレーム信号を前記液晶駆動回路３に伝送する。
また，前記映像処理回路２は，１フレーム分の前記入力映像信号が入力されるごとに，前記表示対象映像信号における映像輝度（階調レベル）の指標値として，平均輝度レベル（いわゆるＡＰＬ(Average Picture Level)）を算出し，その算出結果を前記調光回路７に伝送する。前記平均輝度レベルは，１フレーム分の前記表示対象映像信号における各画素の３原色（Ｒ，Ｇ，Ｂ）の映像輝度（階調レベル）の加重平均値である。
【００１４】
前記液晶駆動回路３は，前記映像処理回路２から所定周期で順次伝送されてくる前記フレーム信号に基づいて，そのフレーム信号に対応する１フレーム分の映像（１コマの画像）を前記液晶パネル４に順次表示させる回路である。
より具体的には，前記液晶駆動回路３は，液晶表示パネルに設けられた各画素の液晶素子に対し，Ｒ，Ｇ，Ｂ３原色それぞれの階調レベル（輝度レベルといってもよい）に応じた電圧（階調電圧）の階調信号を供給する。これにより，前記液晶パネル４は，前記入力映像信号に基づく映像（動画）を表示する。
【００１５】
前記調光回路７は，前記映像処理回路２により検出（算出）された前記平均輝度レベルに基づいて，前記ＬＥＤバックライト６における各ＬＥＤの輝度を決定する。さらに，前記調光回路７は，決定した輝度に応じて前記ＬＥＤバックライト６における各ＬＥＤに対する供給電力の制御値（例えば，ＰＷＭ制御におけるデューティー比）を決定し，その制御値を前記ＬＥＤ給電回路５に対して設定（出力）する。
前記ＬＥＤ給電回路５は，前記調光回路７により設定された前記制御値に応じた電力を前記ＬＥＤバックライト６における各ＬＥＤに対して供給する。これにより，前記ＬＥＤバックライト６の輝度が，前記調光回路７により決定された輝度に調節される。
なお，前記映像処理回路２や前記調光回路７は，例えばＦＰＧＡやＡＳＩＣ等により具現化されている。
【００１６】
前記ＬＥＤ給電回路５は，前記調光回路７からの制御指令に従って，前記ＬＥＤバックライト６における各ＬＥＤに対する供給電力を調節する回路である。例えば，前記ＬＥＤ給電回路５は，ＰＷＭ制御によって各ＬＥＤに対する供給電力を調節する。或いは，前記ＬＥＤ給電回路５が，ＤＣ電圧のレベル調節によって各ＬＥＤの調光を行うことも考えられる。
【００１７】
前記メイン制御回路８は，演算手段であるＭＰＵ８１及び不揮発性メモリであるＥＥＰＲＯＭ８２等を備え，前記ＭＰＵ８１が不図示のＲＯＭに記憶された制御プログラムを実行することにより，当該液晶表示装置Ｘが備える各構成要素の制御処理を実行するものである。
例えば，前記メイン制御回路８において，前記ＭＰＵ８１は，不図示のリモート操作器を通じた操作入力に従って，映像表示モードの切り替え処理を行う。ここで，前記映像表示モードは，前記映像処理回路２の動作モードである。
より具体的には，前記ＭＰＵ８１は，前記操作入力に従って，２種類の前記映像表示モードである標準モードと鮮やかモードとの切り替え処理を行う。そして，切り替え後の前記映像表示モードで動作する旨の指令が，前記ＭＰＵ８１から前記映像処理回路２に対して出力される。
前記標準モードは，前記液晶パネル４（広色域ディスプレイ）の表示色が，図２に示される前記拡張色再現範囲ＣＳ２の色範囲から前記標準色再現範囲ＣＳ１の色範囲となるように，ｓＲＧＢ規格に準拠した前記入力映像信号に対して前記色域圧縮処理を施す動作モードである。
また，前記鮮やかモードは，ｓＲＧＢ規格に準拠した前記入力映像信号の信号値を補正することにより，前記拡張色再現範囲ＣＳ２における中間的な彩度の赤色系統の色ズレが解消されるように，前記入力映像信号が表す色の色相を補正する色相補正処理を実行する動作モードである。
【００１８】
次に，図４〜図６を参照しつつ，前記鮮やかモードにおいて実行される前記色相補正処理について説明する。なお，図４及び図５はｕ’ｖ’色度図により，図６はＹｃｂｃｒ座標系（Ｙｃｂｃｒ色空間）により色の範囲が示されているが，ｕ’ｖ’色度図におけるｕ’−ｖ’平面は，Ｙｃｂｃｒ座標系におけるＣｂ−Ｃｒ平面に相当する。なお，図６及び後述する図９は，国際電気通信連合（ＩＴＵ）のＢＴ．６０１規格に準拠した映像信号についてのものである。
前記映像処理回路２は，前記拡張色再現範囲ＣＳ２における最低の彩度の無彩色（図４〜図６における位置Ｐwの色）から最高の彩度の赤色（図４〜図６における位置Ｐ2yの色）に至る等色相の色範囲の中央の所定範囲の彩度の部分（以下，赤色相基準範囲Ａｙと称する）を基準にして前記色相補正処理を行う。
また，前記映像処理回路２は，前記赤色相基準範囲Ａｙを一部に含み，前記拡張色再現範囲ＣＳ２における最低の彩度の無彩色（位置Ｐwの色）及び最高の彩度の赤色（位置Ｐ2yの色）を含まない範囲（以下，補正対象色範囲Ａｘと称する）の色を表す前記入力映像信号の信号値を，前記色相補正処理の対象とする。
また，前記制御回路８における前記ＥＥＰＲＯＭ８２には，前記補正対象色範囲Ａｘを特定する情報である補正対象色範囲特定情報ｄ１と，前記補正対象色範囲Ａｘ内に含まれる前記赤色相基準範囲Ａｙを特定する情報である赤色相基準範囲特定情報ｄ２とが予め記憶されている。
【００１９】
図４に示されるように，前記赤色相基準範囲Ａｙは，前記拡張色再現範囲ＣＳ２における最低の彩度の無彩色（位置Ｐｗの色）から最高の彩度の赤色（位置Ｐ2rの色）に至る等色相の色範囲のうちの中央の所定範囲の彩度の部分である。前記赤色相基準範囲Ａｙには，前記拡張色再現範囲ＣＳ２における最低の彩度の無彩色（位置Ｐｗの色）から最高の彩度の赤色（位置Ｐ2rの色）に至る等色相の色範囲における中央の１点の彩度ｒcの部分の色（位置Ｐｃの色）が含まれている。
図６には，前記赤色相基準範囲Ａｙが，赤色の等色相の色範囲における，中央の彩度ｒcの部分である中心彩度部Ｐｃを基準として，彩度が−ｒwだけ低い色から＋ｒwだけ高い色までの範囲として示されている。なお，彩度の幅ｒwは，予め定められた定数である。即ち，前記赤色相基準範囲Ａｙの最低の彩度ｒs0＝ｒc−ｒw，前記赤色相基準範囲Ａｙの最高の彩度ｒe0＝ｒc＋ｒwである。
例えば，前記赤色相基準範囲Ａｙは，前記拡張色再現範囲ＣＳ２における最低の彩度の無彩色（位置Ｐｗの色）から最高の彩度の赤色（位置Ｐ2rの色）に至る等色相の色範囲のうちの彩度が中央の５分の１を占める一部の範囲（前記等色相の色範囲を彩度の方向において５等分に区分したうちの中央の区分）である。この場合，彩度の幅ｒwは，彩度のフルスケールの１０分の１である。
なお，図４に示される前記赤色相基準範囲Ａｙは一例であり，その彩度方向の幅がそれより大きい又は小さい例も考えられる。
【００２０】
また，図６に示されるように，前記赤色相基準範囲Ａｙを一部に含む前記補正対象色範囲Ａｘは，赤色の色相よりも青色側（或いは，マゼンタ側といってもよい）の第１の色相（ＣｂＣｒ平面内での極座標の角度がｔsの色相）から，赤色の色相よりも黄色側の第２の色相（ＣｂＣｒ平面内での極座標の角度がｔeの色相）までに至る範囲の内側（境界線は含まない）の色相の範囲である。
また，赤色の色相（Ｃｒ軸方向の色相）を基準とする前記第１の色相及び第２の色相それぞれの極座標の角度差Δｔが等しく設定されている。
なお，前記補正対象色範囲Ａｘにおける彩度の範囲及び輝度の範囲は，彩度及び輝度それぞれのとり得る値の全範囲から，最低の彩度の無彩色（位置Ｐｗの色）と，最高の彩度の赤色（位置Ｐ2rの色）とを除いた残りの範囲である。
【００２１】
以下，前記映像処理回路２による前記色相補正処理の具体例について説明する。
まず，前記映像処理回路２は，前記入力映像信号のＣｂ値及びＣｒ値（Ｃｂin，Ｃｒin）に基づいて，前記入力映像信号のＣｂ−Ｃｒ平面における彩度及び色相を特定する極座標（ｒin，ｔin）を算出する。この極座標（ｒin，ｔin）は，周知のＣｏｒｄｉｃ（Cordinate Rotation Computer）アルゴリズムに基づき算出することができる。
次に，前記映像処理回路２は，次の（Ａ１）式に基づいて，前記拡張色再現範囲ＣＳ２における前記入力映像信号の色（ｒin，ｔin）の前記赤色相基準範囲Ａｙに対する偏差（Δｒin，Δｔin）を算出する。
【数１】
2010056997.tif 000003
また，前記映像処理回路２は，次の（Ａ２）式に基づいて，色相補正の重み係数Ｗrtを算出する。
【数２】
2010056997.tif 000004
そして，前記映像処理回路２は，次の（Ａ３）式に基づいて，前記入力映像信号に対する前記色相補正処理後のＣｂ値及びＣｒ値である（Ｃｂout，Ｃｒout）を算出する。
【数３】
2010056997.tif 000005
【００２２】
以上に示した（Ａ１）式〜（Ａ３）式に基づく色相補正を行えば，前記赤色相基準範囲Ａｙを一部に含む前記補正対象色範囲Ａｘの色を表す前記入力映像信号の信号値は，その色相が前記拡張色再現範囲ＣＳ２における黄色寄りの色相へ変化するように補正される。即ち，前記補正対象色範囲Ａｘの色を表す前記入力映像信号の信号値が，Ｙｃｂｃｒ色再現範囲におけるＹ軸方向から見て反時計回りの方向への色相移動が生じるように補正される。
また，その補正において，前記赤色相基準範囲Ａｙの色相が，ｓＲＧＢ規格の色再現範囲（前記標準色再現範囲ＣＳ１）における前記赤色の等色相ライン（最低の彩度の無彩色（点Ｐwの位置）から最高の彩度の赤色（点Ｐ1rの位置）に至る色相（前記等色相ラインＬ1rの色相）へ変化するように信号値の補正がなされる。
これにより，前記液晶パネル４（広色域ディスプレイ）による中間的な彩度の赤色の表示色が，従来の一般的な標準色域ディスプレイによる中間的な彩度の赤色の表示色，即ち，赤色の視覚上の等色相ライン（図２，図３におけるＬ0r）上の色と近似した色となり，前記色相ズレの問題が解消する。
【００２３】
また，（Ａ１）式〜（Ａ３）式に基づく色相補正を行えば，前記入力映像信号について，前記拡張色再現範囲ＣＳ２における最高の彩度の赤色（位置Ｐr2の色）の信号値は補正されない。
さらに，（Ａ２）式に基づく色相補正の重み係数Ｗrtが用いられることにより，前記黄色寄りの色相への色相の変化量が，前記拡張色再現範囲ＣＳ２における前記赤色相基準範囲Ａｙに対する距離が近い色よりも遠い色の方が小さくなるように補正される。そのため，信号値の補正前後において，色の連続性（グラデーション）が確保されるとともに，彩度の高い鮮やかな赤色は，色域圧縮が行われずにそのまま表示される。その結果，彩度の高い鮮やかな赤色を表示可能な広色域ディスプレイであるＬＥＤバックライト方式の前記液晶パネル４の長所を活かすことができる。
【００２４】
以上に示した実施形態における前記赤色相基準範囲Ａｙは，彩度について所定の幅（２×ｒw）を有する色範囲であった。
これに対し，前記赤色相基準範囲Ａｙが，彩度についての幅を有さない実施例（以下，第２例という）も考えられる。
図７は，色相補正の対象となる前記赤色相基準範囲Ａｙの第２例をｕ’ｖ’座標系において表した図である。また，図８は色相補正による色相の変化の第２例をｕ’ｖ’座標系において表した図である。また，図９は，色相補正の対象となる前記補正対象色範囲Ａｘの第２例をＹｃｂｃｒ座標系におけるＹ軸に直交する方向から見た図である。
図７〜図９に示される第２例は，前記赤色相基準範囲Ａｙが，前記拡張色再現範囲ＣＳ２における最低の彩度の無彩色（図７〜図９における位置Ｐwの色）から最高の彩度の赤色（図７〜図９における位置Ｐ2yの色）に至る等色相の色範囲の中央の１点の彩度ｒcの部分Ｐｃである場合の例である。
なお，図９において，前記赤色相基準範囲Ａｙが点として記載されているが，実際には輝度方向（Ｙ軸方向）に一定の範囲を有する色範囲である。
【００２５】
前記第２例においては，前記映像処理回路２は，例えば以下のようにして前記色相補正処理を行う。
まず，前記映像処理回路２は，前述した実施形態と同様に，前記入力映像信号のＣｂ値及びＣｒ値（Ｃｂin，Ｃｒin）に基づいて，前記入力映像信号のＣｂ−Ｃｒ平面における彩度及び色相を特定する極座標（ｒin，ｔin）を算出する。
次に，前記映像処理回路２は，次の（Ｂ１）式に基づいて，前記拡張色再現範囲ＣＳ２における前記入力映像信号の色（ｒin，ｔin）の前記赤色相基準範囲Ａｙに対する偏差（Δｒin，Δｔin）を算出する。
【数４】
2010056997.tif 000006
また，前記映像処理回路２は，（Ａ１）式に基づき算出した偏差（Δｒin，Δｔin）を前記（Ａ２）式に適用することにより，色相補正の重み係数Ｗrtを算出する。
そして，前記映像処理回路２は，前記（Ａ３）式に基づいて，前記入力映像信号に対する前記色相補正処理後のＣｂ値及びＣｒ値である（Ｃｂout，Ｃｒout）を算出する。
以上に示した（Ｂ１）式及び（Ａ２）〜（Ａ３）式に基づく色相補正を行うことによっても，前述した実施形態と同様の作用効果が得られる。
【産業上の利用可能性】
【００２６】
本発明は，映像表示装置への利用が可能である。
【図面の簡単な説明】
【００２７】
【図１】本発明の実施形態に係る映像表示装置の一例である液晶表示装置Ｘの概略構成を表すブロック図。
【図２】ｓＲＧＢ規格に準拠した映像信号に基づく映像表示を行う場合における標準色域ディスプレイにより表示可能な色再現範囲と広色域ディスプレイにより表示可能な色再現範囲とをｕ’ｖ’色度図上に表した図。
【図３】標準色再現範囲及び拡張色再現範囲それぞれにおける赤色の等色相ラインと及び赤色の視覚上の等色相ラインを拡大して表した図。
【図４】液晶表示装置Ｘにおける色相補正の対象となる赤色相基準範囲の第１例をｕ’ｖ’座標系において表した図。
【図５】液晶表示装置Ｘにおける色相補正による色相の変化の第１例をｕ’ｖ’座標系において表した図。
【図６】液晶表示装置Ｘにおける色相補正の対象となる補正対象色範囲の第１例をＹｃｂｃｒ座標系におけるＹ軸に直交する方向から見た図。
【図７】液晶表示装置Ｘにおける色相補正の対象となる赤色相基準範囲の第２例をｕ’ｖ’座標系において表した図。
【図８】液晶表示装置Ｘにおける色相補正による色相の変化の第２例をｕ’ｖ’座標系において表した図。
【図９】液晶表示装置Ｘにおける色相補正の対象となる補正対象色範囲の第２例をＹｃｂｃｒ座標系におけるＹ軸に直交する方向から見た図。
【符号の説明】
【００２８】
Ｘ  ：液晶表示装置
１  ：映像信号入力部
２  ：映像処理回路
３  ：液晶駆動回路
４  ：液晶パネル
５  ：ＬＥＤ給電回路
６  ：ＬＥＤバックライト
７  ：調光回路
８  ：メイン制御回路
８１：ＭＰＵ
８２：ＥＥＰＲＯＭ
Ａｘ：補正対象色範囲
Ａｙ：赤色相基準範囲
【図１】
2010056997.tif 000007
【図２】
2010056997.tif 000008
【図３】
2010056997.tif 000009
【図４】
2010056997.tif 000010
【図５】
2010056997.tif 000011
【図６】
2010056997.tif 000012
【図７】
2010056997.tif 000013
【図８】
2010056997.tif 000014
【図９】
2010056997.tif 000015